(57)【特許請求の範囲】
【請求項１】
高精度な第１基準電圧を発生する高精度基準電圧発生回路と、前記第１基準電圧と電源電圧のモニターとなる検出電圧とを比較し、この比較結果を制御信号として出力する第１比較回路と、低精度な第２基準電圧を発生する低電力基準電圧発生回路と、前記第２基準電圧と電源電圧のモニターとなる検出電圧を比較し、この比較結果を制御信号として出力する第２比較回路と、前記高精度基準電圧発生回路を間欠動作させる２つのクロック発生回路を備え、
前記第２比較回路の出力結果で、前記２つのクロック発生回路の切り替えを制御することを特徴とする電源電圧検出回路。
【発明の詳細な説明】
【０００１】
【発明の属する技術分野】
本発明は、高精度で低消費電力の電源電圧検出回路に関するものである。
【０００２】
【従来の技術】
近年、電源電圧検出回路は主に携帯機器向けのマイコンに搭載される回路であって、電池の寿命の検出、バックアップモード状態で使用する場合のキャパシタ電源電圧検出、パワーオンリセットとしての役割（電源投入時のイニシャライズのためのリセット信号の発生、電源変動時のシステムの暴走を防止するリセット信号発生）等に広く用いられている。
【０００３】
図９は従来の電源電圧検出回路の構成を示すブロック図であり、以下、この電源電圧検出回路の動作説明を行う。
【０００４】
電源電圧によらず一定な電圧を発生する高精度基準電圧発生回路９１より発生した基準電圧９２と、電源電圧のモニターとなる検出電圧を発生する検出電圧発生回路９３より発生した検出電圧９４とを、比較回路９５で比較し、該比較結果を比較出力９６として出力する。
【０００５】
例えば、高精度基準電圧発生回路９１にはバンドギャップレファレンス回路を使用し、検出電圧発生回路９３には電源電圧分圧回路を使用する。
【０００６】
図１０は検出電圧９４が基準電圧９２より高くなった場合に比較出力９６が出力される場合の電源電圧、検出電圧、基準電圧、比較出力の関係を示す特性図である。
【０００７】
図１０に示すように、電源電圧の増加に伴い、検出電圧９４が基準電圧９２より高いと、比較出力９６がハイレベル、即ち電源電圧と同じレベルの信号として出力され、検出電圧９４が基準電圧９２より低いと比較出力９６がローレベルの信号として出力される。
【０００８】
これにより、電源電圧がある一定のレベルに対してハイかローを検出することができる。その際、検出電圧９４と基準電圧９２を常時、比較し続けたまま、比較出力９６を出力し続けることになる。
【０００９】
【発明が解決しようとする課題】
しかしながら、上記従来の電源電圧検出回路においては、電源電圧を検出するためには、基準電圧発生回路９１と検出電圧発生回路９３と比較回路９５とは常時、動作状態になければならず、その結果、常時、動作電源電流が流れてしまうという課題があった。
【００１０】
この課題を解決する手段として、比較出力９６が出た時点で動作電流をカットするために回路を止めてしまうという方法が考えられるが、そうすると比較出力９６も止まってしまうことになるため、この方法は実現不可能である。
【００１１】
そこで、この課題を解決するためには、回路そのものの動作電源電流を抑えなければならなくなり、そうすると、回路が温度や素子ばらつきの影響を受けやすくなるため、検出精度が劣化するという相反する別の課題が発生してしまうことになる。
【００１２】
従って、本発明の目的は、検出精度を劣化させることなく低消費電力を実現した電源電圧検出回路を提供することにある。
【００１３】
【課題を解決するための手段】
本発明は、上記目的を達成するために、検出電圧付近の精度のいる領域とそれ以外の精度のいらない領域に分け、精度のいる領域では高精度基準電圧発生回路を使用し、精度のいらない領域では、低消費電力の基準電圧発生回路を用いる構成と、また基準電圧発生回路を間欠動作する構成にし尚かつ、精度のいらない領域では間欠動作の周期を長くする構成を採用している。
【００１４】
より具体的には、第１の発明の電源電圧検出回路は、高精度基準電圧発生回路で発生する第１基準電圧と電源電圧のモニターとなる検出電圧とを比較し、該比較結果を制御信号として出力する第１比較回路と、低電力基準電圧発生回路で発生する第２基準電圧と電源電圧のモニターとなる検出電圧を比較し、該比較結果を制御信号として出力する第２比較回路を備え、前記第２比較回路の結果で、前記高精度基準電圧発生回路の動作を制御するものである。
【００１５】
また、第２の発明の電源電圧検出回路は、高精度基準電圧発生回路を間欠動作させる発振回路を有し、前記発振回路の発振周波数を前記低電力基準電圧発生回路の第２基準電圧と検出電圧とを比較する第２比較回路の結果で制御するものである。
【００１６】
さらに、第３の発明の電源電圧検出回路は、間欠動作させる周波数の異なる２つのクロック発生回路を有し、低電力基準電圧発生回路の第２基準電圧と検出電圧とを比較する第２比較回路の結果で、前記２つのクロック発生回路のクロックを切り替えるものである。
【００１７】
さらに、第４の発明の電源電圧検出回路は、高精度基準電圧発生回路を間欠動作させ、その発振周波数が電源電圧に反比例する発振回路を有するものである。
【００１８】
これらの発明によれば、高精度な電源電圧の検出ができ、尚かつ低消費電力な電源電圧検出回路が実現できる。
【００１９】
【発明の実施の形態】
以下、本発明の実施の形態について、図面を用いて説明する。
【００２０】
（実施の形態１）
図１は、本発明の第一の実施形態による電源電圧検出回路の構成を示すブロック図である。
【００２１】
電源電圧によらず一定な電圧を発生する高精度基準電圧発生回路１より発生した基準電圧２と、電源電圧に比例した電圧を発生する電源電圧モニター回路３より発生した検出電圧４とを、比較回路５で比較し、該比較結果を比較出力６として出力する。
【００２２】
同時に、低電力基準電圧発生回路７より発生した基準電圧８と、検出電圧４とを、比較回路９で比較し、該比較結果を比較出力１０として出力する。
【００２３】
高精度基準電圧発生回路１と低電力基準電圧発生回路７を比較すると，高精度基準電圧発生回路１のほうが消費電力は大きく，低消費電力基準電圧発生回路７のほうが基準電圧の精度は低い。
【００２４】
比較出力１０は、高精度基準電圧発生回路１の制御信号となっており、比較出力１０が“Ｌ”の場合は高精度基準電圧回路１が動作する。一方、比較出力１０が“Ｈ”の場合は高精度基準電圧回路１がパワーダウン状態となって、比較出力６には“Ｌ”が出力される。高精度基準電圧発生回路１ではほとんど電流は消費されない。
【００２５】
次に、図２を使って、電源電圧検出回路の動作タイミングを説明する。
【００２６】
基準電圧８は基準電圧２よりも高電圧であるが、その電圧精度は基準電圧２よりも低いのが特徴である。
【００２７】
検出電圧４が基準電圧２よりも低いときは、比較結果１０は“Ｌ”となり、高精度基準電圧発生回路１が動作して比較結果６には“Ｌ”が出力される。
【００２８】
検出電圧４が基準電圧２よりも高く基準電圧８よりも低いときは、比較結果１０は“Ｌ”となり、高精度基準電圧発生回路１が動作して比較結果６には“Ｈ”が出力される。
【００２９】
検出電圧４が基準電圧８よりも高いときは、比較結果１０は“Ｈ”となり、高精度基準電圧発生回路１はパワーダウン状態となって、比較出力６には“Ｈ”が出力される。このとき高精度基準電圧発生回路１はパワーダウン状態となっているため、消費電流１１はほとんど消費されない。
【００３０】
このようにして、高精度で低消費電力の電源電圧検出回路が実現できる。
【００３１】
（実施の形態２）
図３は、本発明の第２の実施形態による電源電圧検出回路の構成を示すブロック図である。
【００３２】
電源電圧によらず一定な電圧を発生する高精度基準電圧発生回路１より発生した基準電圧２と、電源電圧に比例した電圧を発生する電源電圧モニター回路３より発生した検知電圧４とを、比較回路５で比較し、該比較結果を比較出力６として出力する。
【００３３】
同時に、低電力基準発生回路７より発生した基準電圧８と、検出電圧４とを、比較回路９で比較し、該比較結果を比較出力１０として出力する。
【００３４】
また、この比較出力１０は発振回路１２に入力され、この発振回路の発振周波数の制御信号となっており、比較出力１０により発振回路出力１３の周波数は変化するようになっている。比較出力１０が“Ｌ”の場合は発振回路出力１３は高周波数のクロック信号となり，比較出力１０が“Ｈ”の場合は発振回路出力１３は低周波数のクロック信号となる。
【００３５】
そして、発振回路出力１３が“Ｈ”の期間においては高精度基準電圧発生回路１および比較回路５が動作する。一方、発振回路出力１３が“Ｌ”の期間においては高精度基準電圧発生回路１および比較回路５がパワーダウン状態となる。
【００３６】
従って、高精度基準電圧発生回路１と比較回路５は間欠動作するため消費電流が削減できる。
【００３７】
次に、図４を使って電源電圧検出回路の動作タイミングを説明する。
【００３８】
基準電圧８は基準電圧２よりも高電圧であるが、その電圧精度は基準電圧２よりも低いのが特徴である。
【００３９】
検出電圧４が基準電圧２よりも低いときは、比較結果１０は“Ｌ”となり、発振回路出力１３の周波数は高くなって高精度基準電圧発生回路１と比較回路５は短い周期で間欠動作する。
【００４０】
検出電圧４が基準電圧２よりも高く基準電圧８よりも低いときには、比較出力１０は“Ｌ”となり、この場合においても発振回路出力１３の周波数は高く、同様に短い周期で間欠動作をする。このとき比較出力６は“Ｈ”となる。
【００４１】
また，検出電圧４が基準電圧８よりも高いときには、比較結果１０は“Ｈ”となり、発振回路出力１３の周波数は低くなり、間欠動作の周期は長くなる。
【００４２】
このとき高精度基準電圧発生回路１および比較回路５は間欠動作により必要ない時にはパワーダウン状態となるために更に消費電流１１は消費されなくなる。
【００４３】
このようにして、高精度で低消費電力の電源電圧検出回路が実現できる。
【００４４】
（実施の形態３）
図５は、本発明の第３の実施形態による電源電圧検出回路の構成を示すブロック図である。
【００４５】
電源電圧によらず一定な電圧を発生する高精度基準電圧発生回路１より発生した基準電圧２と、電源電圧に比例した電圧を発生する電源電圧モニター回路３より発生した検知電圧４とを、比較回路５で比較し、該比較結果を比較出力６として出力する。
【００４６】
同時に低電力基準発生回路７より発生した基準電圧８と、検出電圧４とを、
比較回路９で比較し、該比較結果を比較出力１０として出力する。
【００４７】
また、この比較出力１０はスイッチ１５の制御信号となっており，高精度基準電圧発生回路１・比較回路５とクロック発生回路１６との接続，またはクロック発生回路１７との接続を制御している。
【００４８】
クロック発生回路１６の出力であるクロック信号１８は，クロック発生
回路１７の出力１９よりも高周波数の信号となっている。
【００４９】
比較出力１０が“Ｌ”の場合は高精度基準電圧発生回路１・比較回路５はクロック発生回路１６に接続されて発振回路出力１３の信号は高周波数となり，一方，比較出力１０が“Ｈ”の場合は高精度基準電圧発生回路１・比較回路５はクロック発生回路１７に接続されて発振回路出力１３は低周波数のクロック信号となる。
【００５０】
そして、発振回路出力１３が“Ｈ”の期間においては高精度基準電圧発生回路１および比較回路５が動作する。一方、発振回路出力１３が“Ｌ”の期間においては高精度基準電圧発生回路１および比較回路５がパワーダウン状態となる。
【００５１】
従って、高精度発基準電圧発生回路１と比較回路５は間欠動作するため消費電流が削減できる。
【００５２】
次に，図６を使って電源電圧検出回路の動作タイミングを説明する。
【００５３】
基準電圧８は基準電圧２よりも高電圧であるが、その電圧精度は基準電圧２よりも低いのが特徴である。
【００５４】
検出電圧４が基準電圧２よりも低いときは、比較結果１０は“Ｌ”となり、発振回路出力１３の周波数は高くなって高精度基準電圧発生回路１と比較回路５は短い周期で間欠動作する。
【００５５】
検出電圧４が基準電圧２よりも高く基準電圧８よりも低いときには、比較出力１０は“Ｌ”となり、この場合においても発振回路出力１３の周波数は高く、同様に短い周期で間欠動作をする。このとき比較出力６は“Ｈ”となる。
【００５６】
また，検出電圧４が基準電圧８よりも高いときには、比較結果１０は“Ｈ”となり、発振回路出力１３の周波数は低くなり、間欠動作の周期は長くなる。
【００５７】
このとき高精度基準電圧発生回路１および比較回路５は間欠動作により必要ない時にはパワーダウン状態となるために更に消費電流１１は消費されなくなる。
【００５８】
このようにして、高精度で低消費電力の電源電圧検出回路が実現できる。
【００５９】
（実施の形態４）
図７は、本発明の第４の実施形態による電源電圧検出回路の構成を示すブロック図である。
【００６０】
電源電圧によらず一定な電圧を発生する高精度基準電圧発生回路１より発生した基準電圧２と、電源電圧に比例した電圧を発生する電源電圧モニター回路３より発生した検出電圧４とを、比較回路５で比較し、該比較結果を比較出力６として出力する。
【００６１】
また、検出電圧４は発振回路２０の制御信号となっており，発振回路出力１３の発振周波数１４を制御している。
【００６２】
発振周波数１４は検出電圧４に反比例し，検出電圧４が低いほど高周波信号となっている。
【００６３】
そして、発振回路出力１３が“Ｈ”の期間においては、高精度基準電圧発生回路１および比較回路５が動作する。
【００６４】
一方、発振回路出力１３が“Ｌ”の期間においては、高精度基準電圧発生回路１および比較回路５がパワーダウン状態となる。
【００６５】
従って、高精度基準電圧発生回路１と比較回路５は間欠動作するため、消費電流が削減できる。
【００６６】
次に、図８を使って電源電圧検出回路の動作タイミングを説明する。
【００６７】
発振回路発振周波数１４は検出電圧４に反比例して，検出電圧４が低くなればなるほど発振回路発振周波数１４は高くなり，検出電圧４が高くなればなるほど発振回路発振周波数１４は低くなって，高精度基準電圧発生回路１と比較回路５は短い周期で間欠動作する。
【００６８】
このとき、高精度基準電圧発生回路１および比較回路５は、間欠動作により必要ない時にはパワーダウン状態となるために、更に消費電流１１は消費されなくなる。
【００６９】
このようにして、高精度で低消費電力の電源電圧検出回路が実現できる。
【００７０】
尚、高精度基準電圧発生回路１には一例としてバンドギャップレファレンス回路を使用し、電源電圧モニター回路３には一例として電源電圧分圧回路を使用しても良い。
【００７１】
【発明の効果】
以上のように本発明によれば，消費電力は大きいが高精度の基準電圧発生回路と，精度は低いが低消費電力の基準電圧発生回路の相反する２つの基準電圧発生回路を使用することで，高精度で低消費電力の電源電圧検出回路を提供するものである。
【図面の簡単な説明】
【図１】本発明の第１の実施の形態に係わる電源電圧検出回路の構成を示すブロック図
【図２】（Ａ）〜（Ｃ）図１に示した電源電圧検出回路の動作タイミング図
【図３】本発明の第２の実施の形態に係わる電源電圧検出回路の構成を示すブロック図
【図４】（Ａ）〜（Ｄ）図３に示した電源電圧検出回路の動作タイミング図
【図５】本発明の第３の実施の形態に係わる電源電圧検出回路の構成を示すブロック図
【図６】（Ａ）〜（Ｄ）図５に示した電源電圧検出回路の動作タイミング図
【図７】本発明の第４の実施の形態に係わる電源電圧検出回路の構成を示すブロック図
【図８】（Ａ）〜（Ｄ）図７に示した電源電圧検出回路の動作タイミング図
【図９】従来の電源検出回路の構成を示すブロック図
【図１０】（Ａ），（Ｂ）図９に示した電源電圧検出回路の動作タイミング図
【符号の説明】
１  高精度基準電圧発生回路（第１基準電圧発生回路）
２  基準電圧（第１基準電圧）
３  電源電圧モニター回路
４  検出電圧
５，９  比較回路
６，１０  比較出力
７  低電力基準電圧発生回路（第２基準電圧発生回路）
８  基準電圧（第２基準電圧）
１１  消費電流
１２  発振回路
１３  発振回路出力
１４  発振回路発振周波数
１５  スイッチ
１６，１７  クロック発生回路
１８，１９  クロック信号
【図１】
0003578043.tif 000002
【図２】
0003578043.tif 000003
【図３】
0003578043.tif 000004
【図４】
0003578043.tif 000005
【図５】
0003578043.tif 000006
【図６】
0003578043.tif 000007
【図７】
0003578043.tif 000008
【図８】
0003578043.tif 000009
【図９】
0003578043.tif 000010
【図１０】
0003578043.tif 000011